(57)【要約】【課題】情報端末を使用することなくコンテンツを入手することができるコンテンツ配信ノード、ネットワーク機器および販売システムを提供する。【解決手段】コンテンツ配信ノードに、コンテンツを特定する情報とコンテンツをダウンロードするための情報を示す認証マークを生成する認証マーク生成手段と、認証マークに対応するコンテンツの送信要求に基づいて、コンテンツを配信する配信手段とを備え、ネットワーク装置に、認証マークを読み取る読み取り手段と、ダウンロードするための情報に基づいて、コンテンツをダウンロードする受信手段を備えることにより達成される。【選択図】図１
2006195586.tif 000002
【特許請求の範囲】
【請求項１】
コンテンツを特定する情報とコンテンツをダウンロードするための情報を示す認証マークを生成する認証マーク生成手段；
前記認証マークに対応するコンテンツの送信要求に基づいて、コンテンツを配信する配信手段；
を備えることを特徴とするコンテンツ配信ノード。
【請求項２】
請求項１に記載のコンテンツ配信ノードにおいて：
前記コンテンツをダウンロードするための情報に基づいて、コンテンツを暗号化する暗号化手段；
を備え、
前記配信手段は、暗号化されたコンテンツを配信することを特徴とするコンテンツ配信ノード。
【請求項３】
コンテンツを特定する情報とコンテンツをダウンロードするための情報を示す認証マークを読み取る読み取り手段；
前記ダウンロードするための情報に基づいて、コンテンツをダウンロードする受信手段；
を備えることを特徴とするネットワーク装置。
【請求項４】
請求項３に記載のネットワーク装置において：
コンテンツをダウンロードするための情報に基づいて、ダウンロードされたコンテンツを復号化する復号化手段；
を備えることを特徴とするネットワーク装置。
【請求項５】
コンテンツ配信ノードとネットワーク装置とを備える販売システムであって：
前記コンテンツ配信ノードは、
コンテンツを特定する情報とコンテンツをダウンロードするための情報を示す認証マークを生成する認証マーク生成手段；
前記認証マークに対応するコンテンツの送信要求に基づいて、コンテンツを配信する配信手段；
を備え、
前記ネットワーク装置は、
前記認証マークを読み取る読み取り手段；
前記ダウンロードするための情報に基づいて、コンテンツをダウンロードする受信手段；
を備えることを特徴とする販売システム。
【発明の詳細な説明】
【技術分野】
【０００１】
本発明は、音楽、映像、書籍などの販売を行うコンテンツ配信ノード、ネットワーク機器および販売システムに関する。
【背景技術】
【０００２】
書籍、音楽、映像はネットワーク配信および店舗により販売される。
【０００３】
尚、上述した背景技術のうちネットワーク配信および店舗による書籍などの販売については、出願人が出願時点で知る限りにおいて文献公知ではない。
【０００４】
また、出願人は出願時点までに本発明に関連する先行技術文献を発見することができなかった。よって、先行技術文献情報を開示していない。
【発明の開示】
【発明が解決しようとする課題】
【０００５】
しかしながら、上述した背景技術には以下の問題がある。
【０００６】
ネットワーク配信により、書籍、音楽、映像が販売される場合、ユーザはコンピュータ等の情報端末を使用しなくてはならない問題がある。このため、情報端末の購入コスト、情報端末の設置場所などがユーザにとって負担となる問題がある。また、ユーザは商品を自由に手にとって選ぶことができない問題がある。
【０００７】
一方、店舗により、書籍、音楽、映像が販売される場合、コンテンツの盗難の防止が困難である問題がある。
【０００８】
そこで、本発明の目的は、情報端末を使用することなくコンテンツを入手することができるコンテンツ配信ノード、ネットワーク機器および販売システムを提供することにある。
【課題を解決するための手段】
【０００９】
上記課題を解決するため、本発明のコンテンツ配信ノードは、コンテンツを特定する情報とコンテンツをダウンロードするための情報を示す認証マークを生成する認証マーク生成手段と、認証マークに対応するコンテンツの送信要求に基づいて、コンテンツを配信する配信手段とを備える。
【００１０】
このように構成することにより、認証マークに対応するコンテンツの送信要求に基づいて、コンテンツを配信することができる。
【００１１】
また、本発明のネットワーク装置は、コンテンツを特定する情報とコンテンツをダウンロードするための情報を示す認証マークを読み取る読み取り手段と、ダウンロードするための情報に基づいて、コンテンツをダウンロードする受信手段とを備える。
【００１２】
このように構成することにより、コンテンツをダウンロードするための情報に基づいて、コンテンツをダウンロードすることができる。
【００１３】
また、本発明にかかる販売システムは、コンテンツ配信ノードとネットワーク装置とを備える販売システムであって、コンテンツ配信ノードは、コンテンツを特定する情報とコンテンツをダウンロードするための情報を示す認証マークを生成する認証マーク生成手段と、認証マークに対応するコンテンツの送信要求に基づいて、コンテンツを配信する配信手段とを備え、ネットワーク装置は、認証マークを読み取る読み取り手段と、ダウンロードするための情報に基づいて、コンテンツをダウンロードする受信手段とを備える。
【００１４】
このように構成することにより、ネットワーク機器自身が、コンテンツをダウンロードするための情報を読み込み、コンテンツを取得することができる。
【発明の効果】
【００１５】
本発明の実施例によれば、情報端末を使用することなくコンテンツを入手することができるコンテンツ配信ノード、ネットワーク機器および販売システムを実現できる。
【発明を実施するための最良の形態】
【００１６】
次に、本発明の実施例について図面を参照して説明する。
なお、実施例を説明するための全図において、同一機能を有するものは同一符号を用い、繰り返しの説明は省略する。
【００１７】
本発明の実施例にかかる販売システムについて、図１を参照して説明する。
【００１８】
本実施例にかかる販売システム１００では、コンテンツを再生するネットワーク機器自身がコンテンツのダウンロード情報を読み込み、コンテンツを取得する。
【００１９】
本実施例にかかる販売システム１００は、コンテンツサーバ１１０と、コンテンツサーバ１１０と通信網、例えばインターネットを介して接続されるネットワーク機器１２０とを備える。
【００２０】
次に、コンテンツサーバ１１０について、図２を参照して説明する。
【００２１】
コンテンツサーバ１１０は、制御部１１２と、制御部１１２と接続された記憶部１１４、認証マーク生成部１１６、暗号化部１１８および配信部１１９とを備える。
【００２２】
記憶部１１４は、コンテンツ、例えば音楽、映像、書籍などのデータを記憶する。また、記憶部１１４は、各コンテンツに対して、コンテンツを特定する情報とコンテンツをダウンロードするための情報とを記憶する。例えば、各コンテンツに対して、少なくとも一組の使い捨てアクセスＩＤおよび使い捨て暗号鍵を対応付けて記憶する。例えば、コンテンツとして音楽が記憶されている場合、図１に示すように、曲目「ＡＡＡ」に対する使い捨てアクセスＩＤおよび使い捨て暗号鍵として、ＩＤ１１および暗号鍵１１と、ＩＤ１２および暗号鍵１２とが対応付けられて記憶され、曲目「ＢＢＢ」に対する使い捨てアクセスＩＤおよび使い捨て暗号鍵として、ＩＤ２１および暗号鍵２１と、ＩＤ２２および暗号鍵２２とが対応付けられて記憶される。
【００２３】
認証マーク生成部１１６は、コンテンツを特定する情報とコンテンツをダウンロードするための情報とが示された認証マークを生成する。例えば、曲目に対応する使い捨てアクセスＩＤ、使い捨て暗号鍵およびコンテンツサーバ１１０のＩＰアドレスが示された認証マークを生成する。例えば、認証マークとして、光学的に読み取り可能な図表で表されるコード、例えばバ−コードを生成する。
【００２４】
暗号化部１１８は、ネットワーク機器１２０からコンテンツの送信要求を受信した場合に、要求されたコンテンツを、コンテンツをダウンロードするための情報、すなわち対応する暗号鍵で暗号化する。
【００２５】
配信部１１９は、暗号化されたコンテンツを配信する。
【００２６】
次に、ネットワーク機器１２０について、図３を参照して説明する。
【００２７】
ネットワーク機器１２０は、制御部１２２と、制御部１２２と接続された読み取り部１２４、記憶部１２６および復号化部１２８とを備える。
【００２８】
読み取り部１２４は、認証マークに示されている情報、すなわちコンテンツを特定する情報とコンテンツをダウンロードするための情報とを読み取る。例えば、コンテンツサーバ１１０のＩＰアドレス、使い捨てアクセスＩＤおよび使い捨て復号鍵の情報を読み取る。記憶部１２６は、読み取られた情報を記憶する。復号化部１２８は、コンテンツをダウンロードするための情報、すなわち復号鍵を用いて、配信された暗号化されたコンテンツを復号する。
【００２９】
次に、本実施例にかかる販売システムにおける販売方法について、図１を参照して説明する。
【００３０】
本実施例では、音楽を販売する場合について説明する。
【００３１】
Ａ社はコンテンツサーバ１１０を備える。コンテンツサーバ１１０のＩＰアドレスは、例えば２００．２１４．１１．１１であり、その記憶部１１４には、各曲目に対し、少なくとも１つの（アクセスＩＤ、暗号鍵）の組が対応付けて記憶されている。
【００３２】
Ａ社は、各（アクセスＩＤ、暗号鍵）の組に対する（アクセスＩＤ、復号鍵）およびコンテンツサーバ１１０のＩＰアドレスを認証マークとして生成し、Ｂ店に出荷する。例えば、認証マーク生成部１１６は、アクセスＩＤ、復号鍵およびコンテンツサーバのＩＰアドレスの情報を１枚の認証マーク、例えばバーコードとして印刷し、Ｂ店に出荷する。
【００３３】
Ｂ店は、アクセスＩＤ、復号鍵およびコンテンツサーバのＩＰアドレスの情報が印刷されたバーコードをユーザに販売する。
【００３４】
この場合、バーコードを付加し、コンテンツを特定する情報を人間が読める表記で明示されたパッケージを店舗の棚に陳列するようにしてもよい。このようにすることにより、手にとって閲覧することができ、バーコードで取得できるコンテンツの内容を確認できるためバーコードの誤用を防止することができる。
【００３５】
また、例えば、Ｂ店は、商品を購入する客の入退出が自由である空間と、商品を販売する店員のみが入室できる空間と、バーコード情報に基づいて代金を支払うレジを備え、上述したバーコードおよびバーコードを付加したパッケージのうち少なくとも一方を保管する設備を店員のみが入室できる空間に備える構成とする。このようにすることにより、バーコードを管理する空間には客は入れないため、コンテンツの盗難を防止することができる。
【００３６】
例えば、ユーザは、曲目「ＡＡＡ」を購入し、曲目「ＡＡＡ」に対応するバーコードを入手する（２）。この場合、バーコードには、例えば、コンテンツサーバ１１０のＩＰアドレスとして「２００．２１４.１１．１１」、使い捨てアクセスＩＤとして「ＩＤ１１」、使い捨て復号鍵として「復号鍵１１」の情報が示される。
【００３７】
コンテンツサーバ１１０のＩＰアドレス、使い捨てアクセスＩＤおよび使い捨て復号鍵の情報が示されたバーコードを購入したユーザは、このバーコードをネットワーク機器１２０、例えばポータブルプレーヤに読ませる（３）。
【００３８】
ネットワーク機器１２０の読み取り部１２４は、コンテンツサーバ１１０のＩＰアドレス、使い捨てアクセスＩＤおよび使い捨て復号鍵の情報を読み取る。例えば、バーコードをかざすことにより、情報を読み取る。ネットワーク機器１２０の制御部１２２は、バーコードから読み取られたＩＰアドレスにアクセスし、アクセスＩＤ、すなわち「ＩＤ１１」を送信する。
【００３９】
ネットワーク機器１２０からアクセスＩＤを受信したコンテンツサーバ１１０の制御部１１２は、「ＩＤ１１」に対応する曲目、すなわち「ＡＡＡ」を判定し、暗号化部１１８に入力する。暗号化部１１８は、入力された「ＡＡＡ」を暗号鍵で暗号化し、配信部１１９に入力する。配信部１１９は、入力された暗号化された「ＡＡＡ」をポータブルプレーヤ１２０に配信する。また、配信部１１９は、ダウンロードするための情報を送信するネットワーク機器１２０からのアクセスに対し、その配信する回数を制限するようにしてもよい。このようにすることにより、無限のコンテンツ配信を防止することができる。
【００４０】
ポータブルプレーヤ１２０は暗号化された「ＡＡＡ」を受信すると、復号化部１２８は、「ＡＡＡ」を復号鍵で復号し、記憶する。
【００４１】
以上で、音楽コンテンツの生産、流通、販売、消費は完了する。
【００４２】
上述した実施例によれば、ユーザは情報端末購入コスト、自宅内の情報端末設置場所を削減することができる。
【００４３】
また、ユーザはダウンロード情報としての認証マークを購入することにより、コンピュータなどの情報端末を使用することなくコンテンツを入手することができる。また、バーコードなどの認証マークにダウンロード情報を記録するようにしてもよい。このようにすることにより、ダウンロードを自動化することができる。また、バーコードなどの認証マークを購入する場合に、決済を済ませるようにしてもよい。このようにすることにより、ユーザはネットワークを通じて支払い情報を投入する必要がなくなるためセキュリティ上安心である。
【００４４】
本実施例では、一例として音楽の販売について説明したが、その他のコンテンツについても同様に適用できる。
【産業上の利用可能性】
【００４５】
本発明にかかるコンテンツ配信ノード、ネットワーク機器および販売システムは、音楽、映像、書籍などの販売を行うシステムに適用できる。
【図面の簡単な説明】
【００４６】
【図１】本発明の一実施例にかかる販売システムを示す説明図である。
【図２】本発明の一実施例にかかるコンテンツサーバを示すブロック図である。
【図３】本発明の一実施例にかかるネットワーク機器を示すブロック図である。
【符号の説明】
【００４７】
１００  販売システム
１１０  コンテンツサーバ
１２０  ネットワーク機器
【図１】
2006195586.tif 000003
【図２】
2006195586.tif 000004
【図３】
2006195586.tif 000005